(57)【要約】      （修正有）【課題】医療分野で広く使われる防湿医療タンスの安全性を高める。【解決手段】防湿医療タンスはプラグ座１０と医療タンスに接続されるプラグヘッド３０を含む。このプラグ座１０の左側端面の前後に固定レバーが対応して設置される。固定レバーの中で上下等間隔にして複数の孔穴が設置され、孔穴は締め物と接合して、プラグ座１０を壁体に固定する。プラグヘッド３０の中央に左右貫通する第三転倉が設置され、第三転倉の中で回転できる転棒３８がある。転棒３８の左端は第三転倉の外に伸びて、第二通合槽と配合する鎖合ブロックを固定的に取り付け、転棒３８の右端は第三転倉の外に伸びて、ハンドルを固定的に取り付ける。【選択図】図１
2019129138.tif 000002
【特許請求の範囲】
【請求項１】
防湿医療タンスであって、プラグ座と前記医療タンスに接続されるプラグヘッドを含み、前記プラグ座の左側端面の前後に固定レバーが対応して設置され、前記固定レバーの中で上下等間隔にして複数の孔穴が設置され、前記孔穴は締め物と接合し、前記プラグ座を壁体に固定し、前記プラグ座の中で右を向く挿合槽が上下対応して設置され、前記挿合槽の左端壁の中央に右に伸びる頂棒を取り付け、前記頂棒の中に上下貫通し左右延伸する通合槽が設置され、前記頂棒の中で前記挿合槽と貫通する前記弧腔が上下対応して設置され、前記弧腔の内壁に伝電片が固定的に設けられ、前記頂棒と前記挿合槽の間に四つの等分弧条からなるシェルセットが設置され、四つの前記等分弧条は前記頂棒と前記挿合槽の間に独立して左右に動くことができ、前記通合槽の中に相互依存している第一伝電アームと第二伝電アームが上下対応して設置され、前記第一伝電アームと前記第二伝電アームは上端の前記弧条と下端の弧条がそれぞれ固定的に接続され、前記第一伝電アームは市電と接続し、前記第二伝電アームは前記伝電片と接続して、前記プラグ座の右端面の中央に前記第一転倉があり、前記第一転倉の左端壁に第二転倉があり、前記第一転倉の上下端に前記第二通合槽が対応して設置され、前記第二通合槽の左端は前記第二転倉と貫通し、右端は外部と貫通しおり、前記プラグヘッドの左端に前記挿合槽と配合する挿合棒が設置され、前記挿合棒の中で右を向いて前記頂棒と配合する前記第三通合槽が設置され、前記通合槽の内壁に凹穴が上下対応して設置され、前記凹穴が第三通合槽と貫通し、前記凹穴の中にタッチシートを取り付け、前記プラグヘッドの中央に左右貫通する前記第三転倉が設置され、前記第三転倉の中で回転できる転棒があり、前記転棒の左端は前記第三転倉の外に伸びて、前記第二通合槽と配合する前記鎖合ブロックを固定的に取り付け、前記転棒の右端は前記第三転倉の外に伸びて、ハンドルを固定的に取り付け、前記挿合槽の内壁に四つの前記弧条と配合する滑腔が設置され、前記滑腔の中でバンプを左右自由に取り付けられ、前記バンプと弧条が固定的に接続して、前記滑腔の左端壁に前記第二条弾条を嵌合するように取り付け、前記タッチシートは前記第三通合槽を向く端面は弧面にし、前記凹穴の中にタッチシートを固定的に接続する前記第二弾条が設置され、前記頂棒の右端面には前記弧面が設けられ、前記弧腔から前記プラグ座の右端面への距離と前記タッチシートからプラグヘッドの左端面への距離は同じであり、前記第二転倉から前記プラグ座への距離と前記鎖合ブロックから前記プラグヘッドへの距離は同じであることを特徴とする防湿医療タンス。
【発明の詳細な説明】
【技術分野】
【０００１】
本発明は医療タンスの分野に関し、具体的には防湿医療タンスに関する。
【背景技術】
【０００２】
防湿医療タンスは医療分野で広く使われるが、伝統的な防湿医療タンスの設定モードは比較的簡単で、電気に接続する時の安全性が比較的低く、安定性も悪いし、コンセントが緩みやすく、感電事故になりやすい、大きな安全上の危険がある。
【先行技術文献】
【特許文献】
【０００３】
【特許文献１】中国特許出願公開第106176116号明細書
【発明の概要】
【発明が解決しようとする課題】
【０００４】
上記の技術の不足に対して、本発明は医療タンスを提供する。
【０００５】
本発明の防湿医療タンスは、プラグ座と医療棚に接続されるプラグヘッドを含む。このプラグ座の左側端面の前後に固定レバーが対応して設置される。固定レバーの中で上下等間隔にして複数の孔穴が設置され、前記孔穴は締め物と接合し、プラグ座を壁体に固定する。プラグ座の中で右を向く挿合槽が上下対応して設置され、挿合槽の左端壁の中央に右に伸びる頂棒を取り付け、頂棒の中に上下貫通し、左右延伸する通合槽が設置される。頂棒の中で挿合槽と貫通する弧腔が上下対応して設置され、弧腔の内壁に伝電片が固定的に設けられ、頂棒と挿合槽の間に四つの等分弧条からなるシェルセットが設置される。四つの等分弧条は頂棒と挿合槽の間に独立して左右に活動することができる。通合槽の中に相互依存している第一伝電アームと第二伝電アームが上下対応して設置される。第一伝電アームと第二伝電アームは上端の弧条と下端の弧条がそれぞれ固定的に接続している。第一伝電アームは市電と接続し、第二伝電アームは伝電片と接続している。プラグ座の右端面の中央に第一転倉があり、第一転倉の左端壁に第二転倉があり。第一転倉の上下端に第二通合槽が対応して設置される。第二通合槽の左端は第二転倉と貫通し、右端は外部と貫通しいる。プラグヘッドの左端に挿合槽と配合する挿合棒が設置され、挿合棒の中に右を向いて、頂棒と配合する第三通合槽が設置される。通合槽の内壁に凹穴が上下対応して設置され、凹穴が第三通合槽と貫通し、凹穴の中にタッチシートを取り付ける。プラグヘッドの中央に左右貫通する第三転倉が設置され、第三転倉の中で回転できる転棒がある。転棒の左端は第三転倉の外に伸びて、第二通合槽と配合する鎖合ブロックを固定的に取り付け、転棒の右端は第三転倉の外に伸びて、ハンドルを固定的に取り付ける。
【０００６】
好ましい技術方案として、挿合槽の内壁に四つの弧条と配合する滑腔が設置され、滑腔の中でバンプを左右自由に取り付けられる。バンプと弧条が固定的に接続して、滑腔の左端壁に第二条弾条を嵌合するように取り付けられる。
【０００７】
好ましい技術方案としてタッチシートは第三通合槽を向く端面は弧面にして、凹穴の中にタッチシートを固定的に接続する第二弾条が設置される。
【０００８】
好ましい技術方案として頂棒の右端面は弧面が設置される。
【０００９】
好ましい技術方案として弧腔からプラグ座の右端面への距離とタッチシートからプラグヘッドの左端面への距離は同じである。
【００１０】
好ましい技術方案として第二転倉からプラグ座への距離と鎖合ブロックからプラグヘッドへの距離は同じである。
【発明の効果】
【００１１】
本発明は構造が簡単で、医療タンスが通電して接続する時の安定性及び安全性を向上させることができる。
【図面の簡単な説明】
【００１２】
【図１】図１は本発明の防湿医療タンスの構造案内図である。
【図２】図２は本発明の防湿医療タンスにあるプラグ座の構造案内図である。
【図３】図３は本発明の防湿医療タンスにあるプラグヘッドの構造案内図である。
【図４】図４は図2の矢印方向弧の構造案内図である。
【図５】図５は図2の左ビューである。
【発明を実施するための形態】
【００１３】
図１−図５のように、本発明が装置した防湿医療タンスはプラグ座10と医療タンスに接続されるプラグヘッド30を含む。このプラグ座10の左側端面の前後に固定レバー90が対応して設置される。固定レバー90の中で上下等間隔にして複数の孔穴91が設置され、孔穴91は締め物と接合して、プラグ座10を壁体に固定する。プラグ座10の中で右を向く挿合槽11が上下対応して設置され、挿合槽11の左端壁の中央に右に伸びる頂棒18を取り付け、頂棒18の中に上下貫通し、左右延伸する通合槽16が設置される。頂棒18の中で挿合槽11と貫通する弧腔21が上下対応して設置され、弧腔21の内壁に伝電片22が固定的に設けられ、頂棒18と挿合槽11の間に四つの等分弧条17からなるシェルセットが設置される。四つの等分弧条17は頂棒18と挿合槽11の間に独立して左右に活動することができる。通合槽16の中に相互依存している第一伝電アーム14と第二伝電アーム19が上下対応して設置される。第一伝電アーム14と第二伝電アーム19は上端の弧条17と下端の弧条17がそれぞれ固定的に接続している。第一伝電アーム14は市電と接続し、第二伝電アーム19は伝電片22と接続している。プラグ座10の右端面の中央に第一転倉20があり、第一転倉20の左端壁に第二転倉201があり。第一転倉20の上下端に第二通合槽202が対応して設置される。第二通合槽202の左端は第二転倉と貫通し、右端は外部と貫通しいる。プラグヘッド30の左端に挿合槽11と配合する挿合棒31が設置され、挿合棒31の中に右を向いて、頂棒18と配合する第三通合槽32が設置される。通合槽32の内壁に凹穴34が上下対応して設置され、凹穴34が第三通合槽32と貫通し、凹穴34の中にタッチシート35を取り付ける。プラグヘッド30の中央に左右貫通する第三転倉が設置され、第三転倉の中で回転できる転棒38がある。転棒38の左端は第三転倉の外に伸びて、第二通合槽202と配合する鎖合ブロック36を固定的に取り付け、転棒38の右端は第三転倉の外に伸びて、ハンドル37を固定的に取り付ける。
【００１４】
好ましくは、そのうち、挿合槽11の内壁に四つの弧条と配合する滑腔15が設置され、滑腔15の中でバンプ12を左右自由に取り付けられる。バンプ12と弧条17が固定的に接続して、滑腔15の左端壁に第二条弾条13を嵌合するように取り付け、第二条弾条13がバンプ12の左端面に固定的に接続する。第二条弾条13はバンプ12の右への頂圧を利用して、弧条17が弧腔21を封盖させる。
【００１５】
好ましくは、そのうち，タッチシート35は第三通合槽32を向く端面は弧面にして、凹穴34の中にタッチシート35を固定的に接続する第二弾条33が設置され、第二弾条33はタッチシート35の弧面を第三通合槽32の中に入れる。
【００１６】
好ましくは、そのうち、頂棒18の右端面は弧面に設置し、第三通合槽32との配合を便利にする。
【００１７】
好ましくは、そのうち弧腔21からプラグ座10の右端面への距離とタッチシート35からプラグヘッド30の左端面への距離は同じである。それによって、挿合棒31は挿合槽11の中に入れて、弧条17が左へ押さえられ、しかもプラグ座10の右端面とプラグヘッド30の左端面が相殺する時、タッチシート35と伝電片22も相殺させられる。
【００１８】
好ましくは、そのうち第二転倉201からプラグ座10への距離と鎖合ブロック36からプラグヘッド30への距離は同じである。それによって、プラグ座10の右端面とプラグヘッド30の左端面が相殺する時、鎖合ブロック36が第二転倉201の中に伸ばされる。
【００１９】
本発明の有益な効果は本発明は構造が簡単で、医療タンスが通電して接続する時の安定性及び安全性を向上させることができる。
【図１】
2019129138.tif 000003
【図２】
2019129138.tif 000004
【図３】
2019129138.tif 000005
【図４】
2019129138.tif 000006
【図５】
2019129138.tif 000007
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
防湿医療タンスであって、プラグ座と前記医療タンスに接続されるプラグヘッドを含み、前記プラグ座の左側端面の前後に固定レバーが対応して設置され、前記固定レバーの中で上下等間隔にして複数の孔穴が設置され、前記孔穴は締め物と接合し、前記プラグ座を壁体に固定し、前記プラグ座の中で右を向く挿合槽が上下対応して設置され、前記挿合槽の左端壁の中央に右に伸びる頂棒を取り付け、前記頂棒の中に上下貫通し左右延伸する通合槽が設置され、前記頂棒の中で前記挿合槽と貫通する弧腔が上下対称に設置され、前記弧腔の内壁に伝電片が固定的に設けられ、前記頂棒と前記挿合槽の間に四つの等分弧条からなるシェルセットが設置され、四つの前記等分弧条は前記頂棒と前記挿合槽の間に独立して左右に動くことができ、前記第一通合槽の中に相互依存している第一伝電アームと第二伝電アームが上下対応して設置され、前記第一伝電アームと前記第二伝電アームは上端の前記弧条と下端の弧条がそれぞれ固定的に接続され、前記第一伝電アームは商用電源と接続し、前記第二伝電アームは前記伝電片と接続して、前記プラグ座の右端面の中央に第一転送倉があり、前記第一転送倉の左端壁に第二転送倉があり、前記第一転送倉の上下端に第二通合槽が対称で設置され、前記第二通合槽の左端は前記第二転送倉と貫通し、右端は外部と貫通しおり、前記プラグヘッドの左端に前記挿合槽と配合する挿合棒が設置され、前記挿合棒の中で前記頂棒と係合する右向きの第三通合槽が設置され、前記第三通合槽の内壁に凹穴が上下対応して設置され、前記凹穴が第三通合槽と貫通し、前記凹穴の中にタッチシートを取り付け、前記プラグヘッドの中央に左右貫通する前記第三転送倉が設置され、前記第三転送倉の中で回転できる転棒があり、前記転棒の左端が前記第三転送倉の外に伸ばし、且つ前記転棒の左端には前記第二通合槽と係合する鎖合ブロックが固定に取り付けられ、前記転棒の右端は前記第三転送倉の外に伸びて、ハンドルを固定的に取り付け、前記挿合槽の内壁に四つの前記弧条と配合する滑腔が設置され、前記滑腔の中で凸ブロックが左右運動可能なように取り付けられ、前記凸ブロックと弧条が固定的に接続して、前記滑腔の左端壁には前記凸ブロックの左端面と固定に接続される第一ばねが固定に取り付けられ、前記タッチシートは前記第三通合槽を向く端面は弧面にし、前記凹穴の中にタッチシートを固定的に接続する前記第二ばねが設置され、前記頂棒の右端面には前記弧面が設けられ、前記弧腔から前記プラグ座の右端面への距離と前記タッチシートからプラグヘッドの左端面への距離は同じであり、前記第二転送倉から前記プラグ座への距離と前記鎖合ブロックから前記プラグヘッドへの距離は同じであることを特徴とする防湿医療タンス。
【手続補正２】
【補正対象書類名】明細書
【補正対象項目名】全文
【補正方法】変更
【補正の内容】
【発明の詳細な説明】
【技術分野】
【０００１】
本発明は医療タンスの分野に関し、具体的には防湿医療タンスに関する。
【背景技術】
【０００２】
防湿医療タンスは医療分野で広く使われるが、伝統的な防湿医療タンスの設定モードは比較的簡単で、電気に接続する時の安全性が比較的低く、安定性も悪いし、コンセントが緩みやすく、感電事故になりやすい、大きな安全上の危険がある。
【先行技術文献】
【特許文献】
【０００３】
【特許文献１】中国特許出願公開第106176116号明細書
【発明の概要】
【発明が解決しようとする課題】
【０００４】
上記の技術の不足に対して、本発明は医療タンスを提供する。
【０００５】
本発明の防湿医療タンスは、プラグ座と医療棚に接続されるプラグヘッドを含む。このプラグ座の左側端面の前後に固定レバーが対応して設置される。固定レバーの中で上下等間隔にして複数の孔穴が設置され、前記孔穴は締め物と接合し、プラグ座を壁体に固定する。プラグ座の中で右を向く挿合槽が上下対応して設置され、挿合槽の左端壁の中央に右に伸びる頂棒を取り付け、頂棒の中に上下貫通し、左右延伸する通合槽が設置される。前記頂棒の中で前記挿合槽と貫通する弧腔が上下対称に設置され、弧腔の内壁に伝電片が固定的に設けられ、頂棒と挿合槽の間に四つの等分弧条からなるシェルセットが設置される。四つの等分弧条は頂棒と挿合槽の間に独立して左右に活動することができる。第一通合槽の中に相互依存している第一伝電アームと第二伝電アームが上下対応して設置される。第一伝電アームと第二伝電アームは上端の弧条と下端の弧条がそれぞれ固定的に接続している。第一伝電アームは商用電源と接続し、第二伝電アームは伝電片と接続している。前記プラグ座の右端面の中央に第一転送倉があり、第一転送倉の左端壁に第二転送倉があり。前記第一転送倉の上下端に第二通合槽が対称で設置される。第二通合槽の左端は第二転送倉と貫通し、右端は外部と貫通しいる。プラグヘッドの左端に挿合槽と配合する挿合棒が設置され、前記挿合棒の中で前記頂棒と係合する右向きの第三通合槽が設置される。前記第三通合槽の内壁に凹穴が上下対応して設置され、凹穴が第三通合槽と貫通し、凹穴の中にタッチシートを取り付ける。プラグヘッドの中央に左右貫通する第三転送倉が設置され、第三転送倉の中で回転できる転棒がある。前記転棒の左端が前記第三転送倉の外に伸ばし、且つ前記転棒の左端には前記第二通合槽と係合する鎖合ブロックが固定に取り付けられ、転棒の右端は第三転送倉の外に伸びて、ハンドルを固定的に取り付ける。
【０００６】
好ましい技術方案として、挿合槽の内壁に四つの弧条と配合する滑腔が設置され、前記滑腔の中で凸ブロックが左右運動可能なように取り付けられる。凸ブロックと弧条が固定的に接続して、前記滑腔の左端壁には前記凸ブロックの左端面と固定に接続される第一ばねが固定に取り付けられる。
【０００７】
好ましい技術方案としてタッチシートは第三通合槽を向く端面は弧面にして、凹穴の中にタッチシートを固定的に接続する第二ばねが設置される。
【０００８】
好ましい技術方案として頂棒の右端面は弧面が設置される。
【０００９】
好ましい技術方案として弧腔からプラグ座の右端面への距離とタッチシートからプラグヘッドの左端面への距離は同じである。
【００１０】
好ましい技術方案として第二転送倉からプラグ座への距離と鎖合ブロックからプラグヘッドへの距離は同じである。
【発明の効果】
【００１１】
本発明は構造が簡単で、医療タンスが通電して接続する時の安定性及び安全性を向上させることができる。
【図面の簡単な説明】
【００１２】
【図１】図１は本発明の防湿医療タンスの構造案内図である。
【図２】図２は本発明の防湿医療タンスにあるプラグ座の構造案内図である。
【図３】図３は本発明の防湿医療タンスにあるプラグヘッドの構造案内図である。
【図４】図４は図2の矢印方向弧の構造案内図である。
【図５】図５は図2の左ビューである。
【発明を実施するための形態】
【００１３】
図１−図５のように、本発明が装置した防湿医療タンスはプラグ座10と医療タンスに接続されるプラグヘッド30を含む。このプラグ座10の左側端面の前後に固定レバー90が対応して設置される。固定レバー90の中で上下等間隔にして複数の孔穴91が設置され、孔穴91は締め物と接合して、プラグ座10を壁体に固定する。プラグ座10の中で右を向く挿合槽11が上下対応して設置され、挿合槽11の左端壁の中央に右に伸びる頂棒18を取り付け、頂棒18の中に上下貫通し、左右延伸する第一通合槽16が設置される。頂棒18の中で挿合槽11と貫通する弧腔21が上下対称に設置され、弧腔21の内壁に伝電片22が固定的に設けられ、頂棒18と挿合槽11の間に四つの等分弧条17からなるシェルセットが設置される。四つの等分弧条17は頂棒18と挿合槽11の間に独立して左右に活動することができる。第一通合槽16の中に相互依存している第一伝電アーム14と第二伝電アーム19が上下対応して設置される。第一伝電アーム14と第二伝電アーム19は上端の弧条17と下端の弧条17がそれぞれ固定的に接続している。第一伝電アーム14は商用電源と接続し、第二伝電アーム19は伝電片22と接続している。
前記プラグ座10の右端面の中央に第一転送倉20があり、第一転送倉20の左端壁に第二転送倉201があり。前記第一転送倉20の上下端に第二通合槽202が対称で設置される。第二通合槽202の左端は第二転送倉と貫通し、右端は外部と貫通しいる。プラグヘッド30の左端に挿合槽11と配合する挿合棒31が設置され、前記挿合棒31の中で前記頂棒18と係合する右向きの第三通合槽32が設置される。前記第三通合槽32の内壁に凹穴34が上下対応して設置され、凹穴34が第三通合槽32と貫通し、凹穴34の中にタッチシート35を取り付ける。プラグヘッド30の中央に左右貫通する第三転送倉が設置され、第三転送倉の中で回転できる転棒38がある。転棒38の左端が第三転送倉の外に伸ばし、且つ前記転棒の左端には第二通合槽202と係合する鎖合ブロック36が固定に取り付けられ、転棒38の右端は第三転送倉の外に伸びて、ハンドル37を固定的に取り付ける。
【００１４】
好ましくは、そのうち、挿合槽11の内壁に四つの弧条と配合する滑腔15が設置され、滑腔15の中で凸ブロック12が左右運動可能なように取り付けられる。凸ブロック12と弧条17が固定的に接続して、滑腔15の左端壁には凸ブロック12の左端面と固定に接続される第一ばね13が固定に取り付けられ、第一ばね13が凸ブロック12の左端面に固定的に接続する。第一ばね13は凸ブロック12の右への頂圧を利用して、弧条17が弧腔21を封盖させる。
【００１５】
好ましくは、そのうち，タッチシート35は第三通合槽32を向く端面は弧面にして、凹穴34の中にタッチシート35を固定的に接続する第二ばね33が設置され、第二ばね33はタッチシート35の弧面を第三通合槽32の中に入れる。
【００１６】
好ましくは、そのうち、頂棒18の右端面は弧面に設置し、第三通合槽32との配合を便利にする。
【００１７】
好ましくは、そのうち弧腔21からプラグ座10の右端面への距離とタッチシート35からプラグヘッド30の左端面への距離は同じである。それによって、挿合棒31は挿合槽11の中に入れて、弧条17が左へ押さえられ、しかもプラグ座10の右端面とプラグヘッド30の左端面が相殺する時、タッチシート35と伝電片22も相殺させられる。
【００１８】
好ましくは、そのうち第二転送倉201からプラグ座10への距離と鎖合ブロック36からプラグヘッド30への距離は同じである。それによって、プラグ座10の右端面とプラグヘッド30の左端面が相殺する時、鎖合ブロック36が第二転送倉201の中に伸ばされる。
【００１９】
本発明の有益な効果は本発明は構造が簡単で、医療タンスが通電して接続する時の安定性及び安全性を向上させることができる。